(57)【要約】【課題】反射防止層の機能を持つ導電層を備える光学フィルタ及びそれを備えたプラズマディスプレイ装置を提供する。【解決手段】光学フィルタ１２０は、ベースフィルム１２１と、ベースフィルムの一面に積層配置される複数の導電層１２２と、を備え、導電層の外部から入射される可視光が反射されて干渉を引き起こす場合、全体的に相殺干渉を引き起こすように各導電層の屈折率及び厚さが選定される。【選択図】図２
2008293010.tif 000002
【特許請求の範囲】
【請求項１】
ベースフィルムと、
前記ベースフィルムの一面に積層配置される複数の導電層と、を備え、
前記導電層の外部から入射される可視光が反射されて干渉を引き起こす場合、全体的に相殺干渉を引き起こすように前記各導電層の屈折率及び厚さが選定される光学フィルタ。
【請求項２】
前記ベースフィルムは、ポリエーテルスルホン、ポリアクリレート、ポリエーテルアミド、ポリエチレンナフタレート、ポリエチレンテレフタレート、ポリフェニレンスルフィド、ポリアリレート、ポリイミド、ポリカーボネート、セルローストリアセテート及びセルロースアセテートプロピオネートからなる群から選択される一つを含む請求項１に記載の光学フィルタ。
【請求項３】
前記ベースフィルムの他面には、前記光学フィルタの接着のための接着層が配置される請求項１または請求項２に記載の光学フィルタ。
【請求項４】
前記接着層は、アクリル系樹脂、ポリエステル樹脂、エポキシ樹脂、ウレタン樹脂及びＰＳＡからなる群から選択される一つを含む請求項３に記載の光学フィルタ。
【請求項５】
前記接着層には顔料または染料が添加される請求項３または請求項４に記載の光学フィルタ。
【請求項６】
前記光学フィルタの可視光に対する光透過率は２０〜９０％であり、前記光学フィルタのヘーズは１〜１５％である請求項１〜５のいずれか１項に記載の光学フィルタ。
【請求項７】
前記導電層のうち、いずれか一つの厚さをｄ、屈折率をｎとし、可視光の波長をλとする時、前記ｄ、ｎ及びλは、下記数式（１）の関係を満たす請求項１〜６のいずれか１項に記載の光学フィルタ：
【数１】
2008293010.tif 000009
【請求項８】
画像を具現するプラズマディスプレイパネルと、
前記プラズマディスプレイパネルの画像が具現される側に配置されるベースフィルムと、前記ベースフィルムの一面に積層配置される複数の導電層を備える光学フィルタと、
その一部が前記導電層に接着されることによって、前記導電層と電気的に連結される接地部材と、
前記プラズマディスプレイパネルを駆動する駆動装置と、
前記プラズマディスプレイパネルと前記駆動装置を支持するシャーシーと、を備え、
前記プラズマディスプレイパネルの外部から入射される可視光が反射されて干渉を引き起こす場合、全体的に相殺干渉を引き起こすように前記各導電層の屈折率及び厚さが選定されるプラズマディスプレイ装置。
【請求項９】
前記ベースフィルムは、ポリエーテルスルホン、ポリアクリレート、ポリエーテルアミド、ポリエチレンナフタレート、ポリエチレンテレフタレート、ポリフェニレンスルフィド、ポリアリレート、ポリイミド、ポリカーボネート、セルローストリアセテート及びセルロースアセテートプロピオネートからなる群から選択される一つを含む請求項８に記載のプラズマディスプレイ装置。
【請求項１０】
前記ベースフィルムには、前記光学フィルタの接着のための接着層が配置される請求項８または請求項９に記載のプラズマディスプレイ装置。
【請求項１１】
前記接着層は、アクリル系樹脂、ポリエステル樹脂、エポキシ樹脂、ウレタン樹脂及びＰＳＡからなる群から選択される一つを含む請求項１０に記載のプラズマディスプレイ装置。
【請求項１２】
前記接着層には顔料または染料が添加される請求項１０または請求項１１に記載のプラズマディスプレイ装置。
【請求項１３】
前記光学フィルタの可視光に対する光透過率は２０〜９０％であり、前記光学フィルタのヘーズは１〜１５％である請求項８〜１２のいずれか１項に記載のプラズマディスプレイ装置。
【請求項１４】
前記導電層のうち、いずれか一つの厚さをｄ、屈折率をｎとし、可視光の波長をλとする時、前記ｄ、ｎ及びλは下記数式（２）の関係を満たす請求項８〜１３のいずれか１項に記載の光学フィルタ：
【数２】
2008293010.tif 000010
【発明の詳細な説明】
【技術分野】
【０００１】
本発明は、光学フィルタ及びそれを備えたプラズマディスプレイ装置に係り、さらに詳細には、外光反射防止層の機能を持つ導電層を備える光学フィルタ及びそれを備えたプラズマディスプレイ装置に関する。
【背景技術】
【０００２】
最近、従来の陰極線管ディスプレイ装置を代替するものとして注目されているプラズマディスプレイ装置は、複数の電極が形成された二つの基板間に放電ガスが封入された後に放電電圧が加えられ、これによって発生する紫外線により所定のパターンで形成された蛍光体が励起されて可視光を放出することによって、所望の画像を得る装置である。
【０００３】
かかるプラズマディスプレイ装置は一般的に光学フィルタを備えるが、光学フィルタは、プラズマディスプレイ装置の品質を向上させる作用を行う。例えば、光学フィルタは、プラズマディスプレイ装置で発生する人体に有害な電磁気波を遮断して、無線電話機やリモコンなどに誤作動を誘発する近赤外線を遮断し、ネオン発光を遮断し、プラズマディスプレイパネル（以下、ＰＤＰ）の前面で外光が反射される現象を防止する機能を行う。
【０００４】
一般的に、前記のような光学フィルタは多層のフィルムが接着されたガラスからなり、ＰＤＰの前方に位置したケースに装着される。しかし、最近にはガラスの素材を除いてフィルムだけでなる光学フィルタをＰＤＰに直接取り付けることもあるが、フィルムだけでなる光学フィルタを適用したプラズマディスプレイ装置は軽くて薄く具現できて、その適用が拡大されつつある。
【０００５】
ところが、フィルムだけでなる光学フィルタは、外光反射のための外光反射防止層と、電磁気波を遮蔽するなどの機能を行うための導電層とをそれぞれ別途に備えているので、その構造が複雑で製造工程が多くなり、コスト高になるという問題点があった。
【０００６】
また、フィルムだけでなる従来の光学フィルタは、反射防止層の形成位置が最前方に位置せねばならないので、導電層の前面接地が難しくて電磁波遮蔽のための接地が難しいという問題点があった。
【発明の開示】
【発明が解決しようとする課題】
【０００７】
本発明の主な目的は、外光反射防止層の機能を持つ導電層を備える光学フィルタ及びそれを備えたプラズマディスプレイ装置を提供することである。
【課題を解決するための手段】
【０００８】
本発明は、ベースフィルムと、前記ベースフィルムの一面に積層配置される複数の導電層と、を備え、前記導電層の外部から入射される可視光が反射されて干渉を引き起こす場合、全体的に相殺干渉を引き起こすように前記各導電層の屈折率及び厚さが選定される光学フィルタを提供する。
【０００９】
ここで、前記ベースフィルムは、ポリエーテルスルホン、ポリアクリレート、ポリエーテルアミド、ポリエチレンナフタレート、ポリエチレンテレフタレート、ポリフェニレンスルフィド、ポリアリレート、ポリイミド、ポリカーボネート、セルローストリアセテート及びセルロースアセテートプロピオネートからなる群から選択される一つを含む。
【００１０】
ここで、前記ベースフィルムの他面には、前記光学フィルタの接着のための接着層が配置される。
【００１１】
ここで、前記接着層は、アクリル系樹脂、ポリエステル樹脂、エポキシ樹脂、ウレタン樹脂及びＰＳＡ（Ｐｒｅｓｓｕｒｅ  Ｓｅｎｓｉｔｉｖｅ  Ａｄｈｅｓｉｖｅ）からなる群から選択される一つを含む。
【００１２】
ここで、前記接着層には顔料または染料が添加される。
【００１３】
ここで、前記光学フィルタの可視光に対する光透過率は２０〜９０％であり、前記光学フィルタのヘーズは１〜１５％である。
【００１４】
ここで、前記導電層のうち、いずれか一つの厚さをｄ、屈折率をｎとし、可視光の波長をλとする時、前記ｄ、ｎ及びλは、下記数式（１）の関係を満たす。
【００１５】
【数１】
2008293010.tif 000003
【００１６】
また、本発明は、画像を具現するプラズマディスプレイパネルと、前記プラズマディスプレイパネルの画像が具現される側に配置されるベースフィルムと、前記ベースフィルムの一面に積層配置される複数の導電層を備える光学フィルタと、その一部が前記導電層に接着されることによって、前記導電層と電気的に連結される接地部材と、前記プラズマディスプレイパネルを駆動する駆動装置と、前記プラズマディスプレイパネルと前記駆動装置を支持するシャーシーと、を備え、前記プラズマディスプレイパネルの外部から入射される可視光が反射されて干渉を引き起こす場合、全体的に相殺干渉を引き起こすように前記各導電層の屈折率及び厚さが選定されるプラズマディスプレイ装置を提供する。
【００１７】
ここで、前記ベースフィルムは、ポリエーテルスルホン、ポリアクリレート、ポリエーテルアミド、ポリエチレンナフタレート、ポリエチレンテレフタレート、ポリフェニレンスルフィド、ポリアリレート、ポリイミド、ポリカーボネート、セルローストリアセテート及びセルロースアセテートプロピオネートからなる群から選択される一つを含む。
【００１８】
ここで、前記ベースフィルムには、前記光学フィルタの接着のための接着層が配置される。
【００１９】
ここで、前記接着層は、アクリル系樹脂、ポリエステル樹脂、エポキシ樹脂、ウレタン樹脂及びＰＳＡからなる群から選択される一つを含む。
【００２０】
ここで、前記接着層には顔料または染料が添加される。
【００２１】
ここで、前記光学フィルタの可視光に対する光透過率は２０〜９０％であり、前記光学フィルタのヘーズは１〜１５％である。
【００２２】
ここで、前記導電層のうち、いずれか一つの厚さをｄ、屈折率をｎとし、可視光の波長をλとする時、前記ｄ、ｎ及びλは、下記数式（２）の関係を満たす。
【００２３】
【数２】
2008293010.tif 000004
【発明の効果】
【００２４】
本発明による光学フィルタは、外光反射防止層の機能を持つ導電層を備えることによって、別途の外光反射防止層が不要になるので、コスト及び製造工程を低減できる。
【００２５】
また、本発明による光学フィルタをプラズマディスプレイ装置に適用させれば、全体的にプラズマディスプレイ装置の製造工程及びコストを低減できる。
【発明を実施するための最良の形態】
【００２６】
以下、望ましい実施形態を添付図面に基づいて詳細に説明する。
【００２７】
図１は、本発明の実施形態によるプラズマディスプレイ装置の概略的な分解斜視図であり、図２は、図１の光学フィルタが装着された態様を示す概略的な拡大断面図であり、図３は、図２のＳ部分を拡大した図面である。
【００２８】
図１、図２及び図３に示したように、本発明の実施形態によるプラズマディスプレイ装置１００は、画像を具現するＰＤＰ１１０、光学フィルタ１２０、接地部材１３０、駆動装置１４０、シャーシー１５０及びケース１６０を備えて構成される。
【００２９】
ＰＤＰ１１０はシャーシー１５０の前面に装着されている。
【００３０】
ＰＤＰ１１０とシャーシー１５０との結合は、ＰＤＰ１１０の背面に付着される両面接着手段１７０を媒介としてなされるが、両面接着手段１７０として両面テープが使われる。
【００３１】
ＰＤＰ１１０とシャーシー１５０との間には熱伝導性に優れたパネル放熱シート１８０が介在されて設置され、ＰＤＰ１１０の作動中に発生する熱をシャーシー１５０に放出できるようになっている。
【００３２】
本実施形態のパネル放熱シート１８０は、ＰＤＰ１１０とシャーシー１５０両方に密着されているが、本発明はこれに限定されるものではない。すなわち、本発明のプラズマディスプレイ装置のパネル放熱シートは薄く形成されて、ＰＤＰのみに密着されていてもよい。
【００３３】
一方、光学フィルタ１２０は全体的に光透過率Ｉが２０〜９０％であり、ヘーズは１〜１５％の値を持つように形成されるが、光学フィルタ１２０は、ベースフィルム１２１及び導電層１２２を備えて形成される。ここで、ベースフィルム１２１の前面には導電層１２２が形成され、ベースフィルム１２１の背面には接着層１２６が形成される。
【００３４】
ベースフィルム１２１は光学フィルタ１２０のベースとして使われるが、その素材の種類はポリエーテルスルホン（ＰＥＳ）、ポリアクリレート（ＰＡＲ）、ポリエーテルアミド（ＰＥＩ）、ポリエチレンナフタレート（ＰＥＮ）、ポリエチレンテレフタレート（ＰＥＴ）、ポリフェニレンスルフィド（ＰＰＳ）、ポリアリレート、ポリイミド、ポリカーボネート（ＰＣ）、セルローストリアセテート（ＴＡＣ）、セルロースアセテートプロピオネート（ＣＡＰ）からなるグループから選択され、望ましくは、ポリカーボネート（ＰＣ）、ポリエチレンテレフタレート（ＰＥＴ）、セルローストリアセテート（ＴＡＣ）、ポリエチレンナフタレート（ＰＥＮ）でありうる。
【００３５】
導電層１２２は、光透過性に優れた２つの薄い層である第１導電層１２２ａと、第２導電層１２２ｂとで形成されるが、詳細な事項は後述する。
【００３６】
本実施形態の光学フィルタ１２０のベースフィルム１２１とＰＤＰ１１０との間には接着層１２６が配置されるが、接着層１２６は光学フィルタ１２０をＰＤＰ１１０に装着する機能を行う。
【００３７】
接着層１２６は、光透過性に優れた熱可塑性、ＵＶ硬化性樹脂などの接着剤を塗布して形成されるが、光透過性に優れた素材を使用すればよく、その他の特別な制限がない。例えば、接着剤としてアクリル系樹脂、ポリエステル樹脂、エポキシ樹脂、ウレタン樹脂、ＰＳＡなどが使われうる。
【００３８】
接着層１２６は、二重映像現象を防止するために、ＰＤＰ１１０との屈折率差が１％を超過しないように形成することが望ましい。
【００３９】
一方、接着層１２６には必要に応じて色補正またはネオン光を遮断できるように染料や顔料が添加される。添加される染料や顔料は微粒子の形態で接着剤に分散された後に使われ、この場合に使われる染料や顔料の種類には特別な制限がない。例えば、シアニン系、スクアリリウム系、アゾメチン系、キサンチン系、オキソノール系、アゾ系などの化合物などが染料や顔料として利用される。
【００４０】
一方、接地部材１３０は導電層１２２のエッジに接触して付着されることによって、接地部材１３０と導電層１２２とは電気的に互いに連結される。
【００４１】
ここで、接地部材１３０と導電層１２２とは、導電性接着剤１９０により電気的に連結される。
【００４２】
接地部材１３０は、金属などの導電性の素材からなっており、その一端はシャーシー１５０に連結される。
【００４３】
本実施形態の接地部材１３０の一端はシャーシー１５０に電気的に連結されるが、本発明はこれに限定されるものではない。すなわち、本発明によれば、シャーシーが非導電性の素材で形成されるか、構造上接地部材と連結され難い構造を持てば、接地部材１３０はケース１６０に連結されて接地されることもあり、その場合、接地部材はケース１６０の導電性部分に連結されねばならない。また、本発明による接地部材はシャーシーまたはケースに連結されず、プラズマディスプレイ装置の外部から入った接地ケーブルと直接連結されて接地作用を行うこともある。
【００４４】
また、本実施形態の接地部材１３０は所定の幅を持ち、その断面が「状（２分割されたコの字形の形状）に形成される構造を持ち、導電層１２２と電気的に連結されるように２つの接地部材１３０が対称に形成されるが、本発明はこれに限定されるものではない。すなわち、本発明の接地部材は、導電層をシャーシーまたはケースと接地させる機能を行えればよく、その構造及び数には特別の制限がない。
【００４５】
一方、駆動装置１４０は回路素子１４１と、回路素子１４１が配置された回路基板１４２とを備えるが、ＰＤＰ１１０を駆動する機能を行う。
【００４６】
回路基板１４２はシャーシー１５０に固定されるが、その固定のためにボス１５１とボルト１５２とが使われる。
【００４７】
シャーシー１５０は導電性のアルミニウム素材からなるが、本発明はこれに限定されるものではない。すなわち、本発明のシャーシーはプラスチックなどの非導電性の素材からなりうるが、その場合には前述したように、接地部材と連結される部分は導電性のケースとするなど、接地のための構造に適切に変更する必要がある。
【００４８】
ケース１６０は、ウィンドウが形成される前方ケース１６１と、シャーシー１５０の後方に配置される後方ケース１６２とで形成される。
【００４９】
ケース１６０は、プラスチックと金属の素材を含んでなり、ＰＤＰ１１０、駆動装置１４０及びシャーシー１５０を収容する。
【００５０】
以下、図４を参照して、光学フィルタ１２０の導電層１２２の詳細な構造及びその作用を説明する。
【００５１】
図４は、本実施形態による光学フィルタ１２０の導電層１２２に入射されて反射される可視光の経路を示す図面である。
【００５２】
導電層１２２は空気と接して最外側に配置された第１導電層１２２ａと、第１導電層１２２ａとベースフィルム１２１との間に配置された第２導電層１２２ｂとで形成される。
【００５３】
第１導電層１２２ａの厚さはｄ１であり、屈折率ｎ１を持ち、光透過性に優れたＩＴＯ（Ｉｎｄｉｕｍ  Ｔｉｎ  Ｏｘｉｄｅ）素材からなる。
【００５４】
第２導電層１２２ｂの厚さはｄ２であり、屈折率ｎ２を持ち、銀（Ａｇ）の素材からなる。
【００５５】
以下、導電層１２２に入射される可視光の経路及び導電層１２２の作用について説明する。
【００５６】
入射光Ｉは、ＰＤＰ１１０の外部から角度θで入射され、入射される入射光Ｉは第１導電層１２２ａのＡ点で反射及び屈折される。
【００５７】
ここで、第１導電層１２２ａにより反射された入射光Ｉは反射光Ｒ１になり、Ａ点で反射されていない入射光Ｉの一部は屈折されて第１導電層１２２ａを通過して、Ｂ点に到達する。
【００５８】
Ｂ点に到達した屈折された入射光Ｉは反射及び屈折されるが、Ｂ点で反射された入射光Ｉは反射光Ｒ２になって、Ｄ点を通過して外部に出る。一方、Ｂ点で反射されていない入射光Ｉは屈折されて第２導電層１２２ｂを通過した後、Ｃ点に到達する。
【００５９】
Ｃ点に到達した屈折された入射光Ｉは反射及び屈折されるが、Ｃ点で反射された入射光Ｉは反射光Ｒ３になって、Ｅ点を通過して外部に出る。一方、Ｃ点で反射されていない入射光Ｉは屈折されてベースフィルム１２１を通過する。以後、ベースフィルム１２１を通過した屈折された入射光ＩはＰＤＰ１１０の前面に到達するが、その場合にも反射及び屈折を反復する。
【００６０】
まず、前記の反射光Ｒ１とＲ２との干渉効果について説明する。
【００６１】
反射光Ｒ１とＲ２とによりなされる干渉効果のうち、補強干渉と相殺干渉について説明すれば、次の通りである。すなわち、補強干渉は反射光Ｒ１とＲ２との位相が一致して発生するようになって、相殺干渉は反射光Ｒ１とＲ２の位相が逆になれば発生する現象である。
【００６２】
補強干渉がなされれば、ＡとＤ点間の領域は明るく見え、相殺干渉が起きれば、ＡとＤ点間の領域は暗く見える。
【００６３】
本発明の導電層１２２は相殺干渉を引き起こすことによって、眩しさを防止して視感を向上させねばならないので、人為的に相殺干渉が起きるように各導電層の屈折率及び厚さを選定して適用せねばならない。ここで、導電層の屈折率を選定するとは、一般的に素材の種類によって屈折率が変わるので、導電層の素材を選定するという意味を主に含む。
【００６４】
すなわち、ここで、反射光Ｒ１とＲ２との経路差δは、次の数式（３）で表現される。
【００６５】
【数３】
2008293010.tif 000005
【００６６】
ここで、δは経路差（単位はラジアン）値であり、λは可視光の波長であり、ｎ１は第１導電層１２２ａの屈折率であり、ｄ１は第１導電層１２２ａの厚さであり、θ波は入射光Ｉの入射角であり、Ψは反射位相変化考慮値である。
【００６７】
前記数式（３）で、Ψを０と仮定すれば、次の数式（４）と数式（５）とを同時に満たす場合に、反射率が最小になって相殺干渉が起きる。
【００６８】
【数４】
2008293010.tif 000006
【００６９】
ここで、Ｒは反射率であり、ｎ０は空気の屈折率であり、ｎ２は第２導電層１２２ｂの屈折率である。
【００７０】
【数５】
2008293010.tif 000007
【００７１】
したがって、設計者は前記反射率Ｒ値が０に近い値を持つように、数式（４）の反射率Ｒ値を０にして整理した次の数式（６）を使用してｎ１を決定する。
【００７２】
【数６】
2008293010.tif 000008
【００７３】
以上のように、ｎ１を決定した後には、決定されたｎ１値に近い屈折率を持つ素材を選定して、第１導電層１２２ａの素材として選定する。
【００７４】
その後、決定されたｎ１値と、可視光の中心波長値（λ＝５５０ｎｍ）を数式（５）に代入して第１導電層１２２ａの厚さｄ１を決定する。
【００７５】
以上のような方法で、反射率Ｒが最小になる第１導電層１２２ａの屈折率とそれによる素材を決定できるだけでなく、導電層１２２ａの厚さｄ１を決定できるようになる。
【００７６】
前記のような計算で、第１導電層１２２ａの厚さを決定するために、可視光の中心波長値を利用したが、本発明はこれに限定されるものではない。すなわち、設計者は必要に応じて要求される帯域帯の可視光の波長を代入することで、第１導電層１２２ａの厚さを決定できる。
【００７７】
以上のように、反射光Ｒ１とＲ２との干渉現象が起きた時、反射率を最小化して相殺干渉を引き起こす第１導電層１２２ａの屈折率及び厚さの決定方法について説明した。
【００７８】
しかし、さらに正確に第１導電層１２２ａの最適の屈折率及び厚さを決定するためには、第２導電層１２２ｂを通過する反射光Ｒ３と反射光Ｒ１、Ｒ２との干渉現象も共に考慮して決定することが望ましい。これは、反射が複数層の境界面でなされるので、正確な干渉効果を考慮するためには、発生しうる反射光の干渉効果をいずれも考慮することが望ましいためである。ここで、反射光Ｒ３と反射光Ｒ１、Ｒ２との干渉現象を考慮するためには、ベースフィルムの屈折率ｎｓなどを利用した前記の数式（３）ないし（６）が使われうる。
【００７９】
本実施形態による第１導電層１２２ａはＩＴＯからなっており、第２導電層１２２ｂは銀（Ａｇ）からなっているが、本発明はこれに限定されるものではない。すなわち、本発明によれば、導電層をなしている各層の素材は、ＩＴＯ、銀（Ａｇ）、金（Ａｕ）、銅（Ｃｕ）、アルミニウム（Ａｌ）などの導電性素材から選択して必要に応じてなりうる。例えば、第１導電層と第２導電層とを同じ銀（Ａｇ）素材で形成するが、その厚さのみを異ならせてもよく、第１導電層を銀（Ａｇ）とし、第２導電層をＩＴＯで形成してもよい。
【００８０】
本実施形態による導電層１２２は２個の導電層で形成されているが、本発明はこれに限定されるものではない。すなわち、本発明による導電層は１層の導電層で形成され、３層以上の導電層が積層された形状を持ってもよい。ここで、３層以上の導電層を積層する場合、前記ＩＴＯ、銀（Ａｇ）、金（Ａｕ）、銅（Ｃｕ）、アルミニウム（Ａｌ）などの導電性素材のうち一つを連続蒸着するか、または各導電性素材を交互に蒸着して導電層を形成できる。また、３層以上の導電層を積層する場合には、積層される導電層の数を約１１層未満とすることが望ましく、３層以上の層を積層する場合にも隣接する３個の層に対しては前記数式（３）ないし（６）を適用できるので、前記数式（３）ないし（６）により各導電層の素材及び厚さを決定できるようになる。
【００８１】
本実施形態による導電層１２１を形成する方法としては、スパッタリング、真空蒸着法、イオンメッキ法、化学気相蒸着法（Ｃｈｅｍｉｃａｌ  Ｖａｐｏｒ  Ｄｅｐｏｓｉｔｉｏｎ：ＣＶＤ）、物理気相蒸着法（Ｐｈｙｓｉｃａｌ  Ｖａｐｏｒ  Ｄｅｐｏｓｉｔｉｏｎ：ＰＶＤ）、微粒子塗布方法などで形成でき、特に、スパッタリングによりＩＴＯまたは銀（Ａｇ）などを透明な薄い層の構造で形成する場合、電磁気波遮蔽の効果だけでなく近赤外線遮断効果もさらに期待することができる。
【００８２】
本実施形態の光学フィルタ１２０は、ベースフィルム１２１及び導電層１２２のみを備えて構成されているが、本発明はこれに限定されるものではない。すなわち、本発明の導電層にはスクラッチ防止のためのハードコーティング材が最外郭にコーティングされることによって、ハードコーティング層が形成され、ベースフィルムと接着層との間には特定波長帯の光を吸収できる選択的吸光層が形成されることもある。ここで、導電層にハードコーティング層が形成される場合には、全体的に光学フィルタが相殺干渉を引き起こすようにハードコーティング層の屈折率及び厚さが考慮されねばならない。
【００８３】
以下、前記本実施形態によるプラズマディスプレイ装置１００が作動される過程と、光学フィルタ１２０の作用とを説明する。
【００８４】
ユーザーがプラズマディスプレイ装置１００を作動させれば、駆動装置１４０が駆動されて、ＰＤＰ１１０に電圧が印加される。
【００８５】
ＰＤＰ１１０に電圧が印加されれば、アドレス放電及び維持放電が起き、維持放電時に励起された放電ガスのエネルギー準位が低くなりつつ紫外線が放出される。前記紫外線は放電セル内に塗布された蛍光体層の蛍光体を励起させるが、この励起された蛍光体のエネルギー準位が低くなりつつ可視光が放出され、この放出された可視光が出射されつつユーザーが認識できる画像を形成する。
【００８６】
この時、光学フィルタ１２０の導電層１２２は接地部材１３０を通じてシャーシー１５０に接地されることで、光学フィルタ１２０は、プラズマディスプレイ装置１００から排出される電磁気波と近赤外線とを吸収できるようになって、電磁気波及び近赤外線を遮蔽する機能を行う。
【００８７】
また、光学フィルタ１２０の導電層１２２は、入射される外光が相殺干渉を引き起こすように適当な屈折率を持つ素材及び適当な厚さ持つ層を積層して形成されることによって、プラズマディスプレイ装置１００の前方側から入射される外光が反射されて視感によくない影響を与える現象を防止する。
【００８８】
以上のように、本発明の実施形態によるプラズマディスプレイ装置１００は、外光反射防止層の機能を持つ導電層１２２を備える光学フィルタ１２０を提供することによって、プラズマディスプレイ装置１００のコスト及び製造工程を低減すると同時に、その性能を向上させることができる。
【００８９】
本発明は図面に示した実施形態を参考にして説明されたが、これは例示的なものに過ぎず、当業者ならばこれより多様な変形及び均等な他の実施形態が可能であるという点を理解できるであろう。したがって、本発明の真の技術的保護範囲は特許請求の範囲の技術的思想によって定められねばならない。
【産業上の利用可能性】
【００９０】
本発明は、プラズマディスプレイ装置関連の技術分野に好適に用いられる。
【図面の簡単な説明】
【００９１】
【図１】本発明の実施形態によるプラズマディスプレイ装置の概略的な分解斜視図である。
【図２】図１の光学フィルタが装着された態様を示す概略的な拡大断面図である。
【図３】図２のＳ部分を拡大した図面である。
【図４】本実施形態による光学フィルタの導電層に入射されて反射される可視光の経路を示す図面である。
【符号の説明】
【００９２】
１００  プラズマディスプレイ装置、
１１０  プラズマディスプレイパネル、
１２０  光学フィルタ、
１２１  ベースフィルム、
１２２  導電層（複数の導電層）、
１２２ａ  第１導電層（複数の導電層）、
１２２ｂ  第２導電層（複数の導電層）、
１２６  接着層、
１３０  接地部材、
１４０  駆動装置、
１４１  回路素子、
１４２  回路基板、
１５０  シャーシー、
１６０  ケース、
１６１  前方ケース、
１６２  後方ケース、
１７０  両面接着手段、
１８０  パネル放熱シート、
１９０  導電性接着剤。
【図１】
2008293010.tif 000011
【図２】
2008293010.tif 000012
【図３】
2008293010.tif 000013
【図４】
2008293010.tif 000014